(57)【要約】【課題】単体で頭髪全体の整髪と細かな部位の整髪を行うことができる櫛を提供する。【解決手段】頭髪を整えるために用いられる櫛において、長板状の本体部１１と、前記本体部１１の一端側に一体に形成された持ち手部１２と、前記本体部１１の一側の長辺方向Ｄに形成された第一櫛歯部２０と、前記持ち手部１２に形成された第二櫛歯部２１とを有し、前記第一櫛歯部２０が少なくとも前記本体部１１の長辺部分１６の半分以上の長さを有し、前記第二櫛歯部２１が前記持ち手部１２の先端側の幅方向ｄに形成されていることを特徴とする。【選択図】図１
0003172063.tif 000002
【実用新案登録請求の範囲】
【請求項１】
頭髪を整えるために用いられる櫛において、
長板状の本体部と、
前記本体部の一端側に一体に形成された持ち手部と、
前記本体部の一側の長辺方向に形成された第一櫛歯部と、
前記持ち手部に形成された第二櫛歯部
とを有することを特徴とする櫛。
【請求項２】
前記第一櫛歯部が少なくとも前記本体部の長辺部分の半分以上の長さを有する請求項１に記載の櫛。
【請求項３】
前記第二櫛歯部が前記持ち手部の先端側の幅方向に形成されている請求項１または２に記載の櫛。
【考案の詳細な説明】
【技術分野】
【０００１】
本考案は、単体で頭髪全体の整髪と前髪等の細かな部位の整髪を行うことができる櫛に関する。
【背景技術】
【０００２】
髪を分ける、梳く等を行う際には、櫛やヘアーブラシが用いられている。例えば、櫛においては、櫛歯部を髪の分け目にあてがい、梳くことによって髪の流れる方向が統一され髪が整えられる。また、人によっては、ヘアーブラシと櫛を使い分けることもあり、ヘアーブラシと櫛を一体化したものが提案されている（特許文献１参照）。
【０００３】
外出時においては、前髪やもみあげなど髪の量が少ない細かな箇所の調整を行うことがあり、携帯している櫛の櫛歯の端など一部分を使用して、整えることが多い。外出時には大きな櫛やヘアーブラシ等を持ち歩くことは煩雑であるため、板状の薄い櫛を持ち歩くことが多くなる。しかし、細かな箇所の調整を行う場合には、櫛歯部分は長辺部に構成されることが多いため、すでに整え終わった箇所の髪までも櫛歯部に巻き込んでしまい、意図した髪型に整えられないことがあった。
【先行技術文献】
【特許文献】
【０００４】
【特許文献１】特開２００２−３６０３３４号公報
【考案の概要】
【考案が解決しようとする課題】
【０００５】
本考案は前記の点に鑑みなされたものであり、単体で頭髪全体の整髪と細かな部位の整髪を行うことができる櫛を提供するものである。
【課題を解決するための手段】
【０００６】
すなわち、請求項１の考案は、頭髪を整えるために用いられる櫛において、長板状の本体部と、前記本体部の一端側に一体に形成された持ち手部と、前記本体部の一側の長辺方向に形成された第一櫛歯部と、前記持ち手部に形成された第二櫛歯部とを有することを特徴とする櫛に係る。
【０００７】
請求項２の考案は、前記第一櫛歯部が少なくとも前記本体部の長辺部分の半分以上の長さを有する請求項１に記載の櫛に係る。
【０００８】
請求項３の考案は、前記第二櫛歯部が前記持ち手部の先端側の幅方向に形成されている請求項１または２に記載の櫛に係る。
【考案の効果】
【０００９】
請求項１の考案に係る櫛は、頭髪を整えるために用いられる櫛において、長板状の本体部と、前記本体部の一端側に一体に形成された持ち手部と、前記本体部の一側の長辺方向に形成された第一櫛歯部と、前記持ち手部に形成された第二櫛歯部とを有するため、第一櫛歯部で頭髪全体の整髪、第二櫛歯部で細かな部位の整髪を行うことができる。
【００１０】
請求項２の考案は、請求項１において、前記第一櫛歯部が少なくとも前記本体部の長辺部分の半分以上の長さを有するため、頭髪全体の整髪を効率的に行うことができる。
【００１１】
請求項３の考案は、請求項１又は２において、前記第二櫛歯部が前記持ち手部の先端側の幅方向に形成されているため、細かな部位の整髪を簡単に行うことができる。
【図面の簡単な説明】
【００１２】
【図１】本考案の第一実施例に係る櫛の斜視図である。
【図２】本考案の第一実施例に係る櫛の正面図である。
【図３】本考案の第二実施例に係る櫛の正面図である。
【図４】本考案の第三実施例に係る櫛の正面図である。
【考案を実施するための形態】
【００１３】
図１に示す本考案の一実施例に係る櫛１０は、頭髪を整えるために用いられるものであって、本体部１１と、持ち手部１２と、第一櫛歯部２０と、第二櫛歯部２１とを有する。この櫛１０を構成する素材は特に限定されないが、ポリプロピレン、スチレン樹脂等の公知の合成樹脂材料等が好適に使用される。なお、図２〜図４は、第一ないし第三実施例の櫛１０Ａ，１０Ｂ，１０Ｃの持ち手部１２Ａ，１２Ｂ，１２Ｃと第二櫛歯部２１Ａ，２１Ｂ，２１Ｃのバリエーションを表したものである。
【００１４】
本体部１１は、薄い長板状に構成されており、軽量でかさばることがなく、収納が容易であることから持ち運びに好適である。
【００１５】
持ち手部１２は、本体部１１の一端側に一体に形成され、使用時に手で握ったり指先で摘んで持つことができる十分な大きさを有する。また、持ち手部１２は、持ちやすくするために、本体部１１との境界部分に鍔部１３を有する。図２に示す第一実施例に係る櫛１０Ａの持ち手部１２は鍔部１３側の側辺部１４が内側に傾斜された傾斜側部１５を有する例であり、図３に示す第二実施例に係る櫛１０Ｂの持ち手部１２は緩やかに湾曲した形状の例であり、図４に示す第三実施例に係る櫛１０Ｃの持ち手部１２は鍔部１３側の側辺部１４に凹部１７が形成されているとともに先端側が円弧状に形成された例である。各持ち手部１２は、いずれも持ちやすくするために構成されたものである。
【００１６】
ここで図２に示す第一実施例に係る櫛１０Ａを用いて、第一櫛歯部２０及び第二櫛歯部２１について説明する。第一櫛歯部２０は、本体部１１の一側の長辺方向Ｄに形成され、主に頭髪全体の整髪に使用される。第一櫛歯部２０では、櫛歯２２が並設される幅が大きいほど梳く髪の量が多くなる。このことから、第一櫛歯部２０は、請求項２に記載するように、少なくとも本体部１１の長辺部分１６の半分以上の長さを有することが、整髪の効率の観点から望ましい。
【００１７】
第二櫛歯部２１は、持ち手部１２に形成され、平行に等間隔で並設された櫛歯２３を有する。櫛歯２３の間隔は、第一櫛歯部２０の櫛歯２２の間隔と等しく形成しても異なるように形成してもよい。この第二櫛歯部２１は、主に前髪等の細かな部位の整髪に使用される。このため、第二櫛歯部２１は第一櫛歯部２０よりも短い幅で構成されることが好ましい。実施例の第二櫛歯部２１では、持ち手部１２の先端側の幅方向ｄに形成されているため、細かな部位の整髪を行うときに、他の部位の髪を巻き込むことなく、目的の部位の髪のみを梳くことができる。また、眉毛や鬚等を整えるために用いることもできる。
【００１８】
図３に示す第二実施例に係る櫛１０Ｂの第二櫛歯部２１は持ち手部１２の湾曲形状に沿って櫛歯２３の方向が内向きに曲がって形成された例である。この第二櫛歯部２１では、使用する際に本体部１１を握ると櫛歯２３が少しだけ下向きもしくは上向きに傾斜するため、整髪がしやすくなっている。
【００１９】
図４に示す第三実施例に係る櫛１０Ｃの第二櫛歯部２１は持ち手部１２の円弧状の先端形状に沿って並設された櫛歯２３の先端形状が円弧状に形成された例である。この第二櫛歯部２１では、中央部が突出しており、髪を櫛歯２３でとらえることが容易になる。
【００２０】
なお、本考案の櫛は、前述の実施例のみに限定されるものではなく、考案の趣旨を逸脱しない範囲において構成の一部を適宜に変更して実施することができる。
【符号の説明】
【００２１】
１０    櫛
１１    本体部
１２    持ち手部
１３    鍔部
１６    長辺部分
２０    第一櫛歯部
２１    第二櫛歯部
Ｄ      長辺方向
ｄ      幅方向
【図１】
0003172063.tif 000003
【図２】
0003172063.tif 000004
【図３】
0003172063.tif 000005
【図４】
0003172063.tif 000006